(57)【要約】【課題】  有孔パネルの接合部に形成される目地の幅を容易に調整でき、しかも、施工の容易な有孔スクリーンを提供する。【解決手段】有孔パネル（４）は、一方向に長い有孔金属板から成る本体（８）の左右両側に同一平面上で向き合うように外向き取付縁部（１４）と内向き取付縁部（１２）が形成されている。本体（８）に、変形部（１０）を形成し、該変形部（１０）の内向き取付縁部（１２）と対向する部分に孔（２０）を配置し、該孔（２０）から内向き取付縁部（１２）を下地材にビス止めできるようにする。隣接する有孔パネル（４）の中、一方の有孔パネル（４）の外向き取付縁部（１４）を下地材（２２）にビス止めし、他方の有孔パネル（４）の内向き取付縁部（１２）を一方の有孔パネル（４）の外向き取付縁部（１４）に重ねて該外向き取付縁部（１４）に取り付ける。【選択図】  図１
2019082014.tif 000002
【特許請求の範囲】
【請求項１】
一方向に長い有孔金属板から成る本体（８）の左右両側に同一平面上で向き合うように外向き取付縁部（１４）と内向き取付縁部（１２）を形成し、本体（８）に、前記左右の取付縁部（１４）（１２）を含む基準面に対して所定の距離を存して対向する底面（１８）を有する変形部（１０）を形成し、該変形部（１０）の前記内向き取付縁部（１２）と対向する部分に前記本体（８）に形成された複数の孔の中の一部の孔（２０）を配置し、該孔（２０）から前記内向き取付縁部（１２）を下地材にビス止めできるようにしたことを特徴とする有孔スクリーン構築用有孔パネル。
【請求項２】
前記外向き取付縁部（１４）の幅を前記内向き取付縁部（１２）の幅よりも広く設定したことを特徴とする有孔スクリーン構築用有孔パネル。
【請求項３】
前記変形部（１０）の断面形状は、Ｖ字状の輪郭を形成していることを特徴とする請求項１に記載の有孔スクリーン構築用有孔パネル。
【請求項４】
前記変形部（１０）の断面形状は、半円形のわん曲線を形成していることを特徴とする請求項１に記載の有孔スクリーン構築用有孔パネル。
【請求項５】
前記変形部（１０）を、本体（８）の全長に亘って伸びる平板部と、これの両側に直角方向に立設された側板部とで構成したことを特徴とする請求項１に記載の有孔スクリーン構築用有孔パネル。
【請求項６】
前記外向き取付縁部（１４）にハゼ（１６）を設けたことを特徴とする請求項１に記載の有孔スクリーン構築用有孔パネル。
【請求項７】
一方向に長い有孔金属板から成る本体（８）の左右両側に同一平面上で向き合うように外向き取付縁部（１４）と内向き取付縁部（１２）を形成し、本体（８）に、前記左右の取付縁部（１４）（１２）を含む基準面に対して所定の距離を存して対向する底面（１８）を有する変形部（１０）を形成し、該変形部（１０）の前記内向き取付縁部（１２）と対向する部分に前記本体（８）に形成された複数の孔の中の一部の孔（２０）を配置し、該孔（２０）から前記内向き取付縁部（１２）を下地材にビス止めできるようにした有孔パネル（４）を複数建造物の下地材に並列状に取り付け、有孔スクリーンを構築する有孔スクリーン設置工法であって、隣接する有孔パネル（４）の中、一方の有孔パネル（４）の外向き取付縁部（１４）を下地材（２２）にビス止めし、他方の有孔パネル（４）の内向き取付縁部（１２）を前記一方の有孔パネル（４）の外向き取付縁部（１４）に重ねて該外向き取付縁部（１４）に取り付けるようにしたことを特徴とする有孔スクリーン設置工法。
【請求項８】
前記外向き取付縁部（１４）にハゼ（１６）を設け、前記他方の有孔パネル（４）の内向き取付縁部（１２）を前記一方の有孔パネル（４）の前記ハゼ（１６）に係合させたことを特徴とする有孔スクリーン設置工法。
【請求項９】
前記他方の有孔パネル（４）の内向き取付縁部（１２）と前記一方の有孔パネル（４）の外向き取付縁部（１４）を重ねて外側からドリルビスにより両縁部（１２）（１４）を下地材（２２）にビス止めしたことを特徴とする有孔スクリーン設置工法。
【発明の詳細な説明】
【技術分野】
【０００１】
本発明は、建造物の壁、天井、化粧屋根として用いられる有孔スクリーンを構築するための金属製有孔パネル及び該有孔パネルを用いた有孔スクリーンの設置工法に関する。
【背景技術】
【０００２】
室内用としては、壁面スクリーン、天井ルーバー、ディスプレイ用の間仕切り、棚等に利用でき、また、屋外用としては、ルーバー屋根、落下防止ネット、設備機器の目隠しパネルなどに利用できる、金属板を折り曲げ加工し接合した透孔・遮光用の建築用有孔スクリーンが知られている（例えば特許文献１参照）。
【先行技術文献】
【特許文献】
【０００３】
【特許文献１】特開２００９−２８７３８０号公報
【発明の概要】
【発明が解決しようとする課題】
【０００４】
従来の此種の建築用有孔スクリーンでは、隣接する有孔パネルの接合部の自由度がなく、有孔パネル間の接合部に形成される目地の幅を自由に調整することができないという問題点があった。
本発明は、上記問題点を解決することを目的とするものである。
また、本発明の他の目的は、施工の容易なデザイン的に優れた立体形状の有孔スクリーンを安価に提供することである。
【課題を解決するための手段】
【０００５】
上記目的を達成するため、本発明は、一方向に長い有孔金属板から成る本体（８）の左右両側に同一平面上で向き合うように外向き取付縁部（１４）と内向き取付縁部（１２）を形成し、本体（８）に、前記左右の取付縁部（１４）（１２）を含む基準面に対して所定の距離を存して対向する底面（１８）を有する変形部（１０）を形成し、該変形部（１０）の前記内向き取付縁部（１２）と対向する部分に前記本体（８）に形成された複数の孔の中の一部の孔（２０）を配置し、該孔（２０）から前記内向き取付縁部（１２）を下地材にビス止めできるようにしたことを特徴とする。
また本発明は、前記外向き取付縁部（１４）の幅を前記内向き取付縁部（１２）の幅よりも広く設定したことを特徴とする。
また本発明は、前記変形部（１０）の断面形状は、Ｖ字状の輪郭を形成していることを特徴とする。
また本発明は、前記変形部（１０）の断面形状は、半円形のわん曲線を形成していることを特徴とする。
また本発明は、前記変形部（１０）を、本体（８）の全長に亘って伸びる平板部と、これの両側に直角方向に立設された側板部とで構成したことを特徴とする。
また本発明は、前記外向き取付縁部（１４）にハゼ（１６）を設けたことを特徴とする。
また本発明は、一方向に長い有孔金属板から成る本体（８）の左右両側に同一平面上で向き合うように外向き取付縁部（１４）と内向き取付縁部（１２）を形成し、本体（８）に、前記左右の取付縁部（１４）（１２）を含む基準面に対して所定の距離を存して対向する底面（１８）を有する変形部（１０）を形成し、該変形部（１０）の前記内向き取付縁部（１２）と対向する部分に前記本体（８）に形成された複数の孔の中の一部の孔（２０）を配置し、該孔（２０）から前記内向き取付縁部（１２）を下地材にビス止めできるようにした有孔パネル（４）を複数建造物の下地材に並列状に取り付け、有孔スクリーンを構築する有孔スクリーン設置工法であって、隣接する有孔パネル（４）の中、一方の有孔パネル（４）の外向き取付縁部（１４）を下地材（２２）にビス止めし、他方の有孔パネル（４）の内向き取付縁部（１２）を前記一方の有孔パネル（４）の外向き取付縁部（１４）に重ねて該外向き取付縁部（１４）に取り付けるようにしたことを特徴とする。
また本発明は、前記外向き取付縁部（１４）にハゼ（１６）を設け、前記他方の有孔パネル（４）の内向き取付縁部（１２）を前記一方の有孔パネル（４）の前記ハゼ（１６）に係合させたことを特徴とする。
また本発明は、前記他方の有孔パネル（４）の内向き取付縁部（１２）と前記一方の有孔パネル（４）の外向き取付縁部（１４）を重ねて外側からドリルビスにより両縁部（１２）（１４）を下地材（２２）にビス止めしたことを特徴とするものである。
【発明の効果】
【０００６】
本発明は、施工が容易でしかもデザイン性のある立体形状の有孔スクリーンを安価に提供することができる。
【図面の簡単な説明】
【０００７】
【図１】本発明の断面説明図である。
【図２】有孔スクリーンの底面説明図である。
【図３】有孔パネルの断面図である。
【図４】本発明の他の実施形態を示す断面説明図である。
【図５】有孔パネルの他の実施形態を示す断面説明図である。
【図６】本発明の他の実施形態を示す断面説明図である。
【図７】有孔パネルの他の実施形態を示す断面説明図である。
【図８】本発明の説明図である。
【発明を実施するための形態】
【０００８】
以下に本発明の構成を添付した図面を参照して詳細に説明する。
図２は、エントランスロビーなどの建造物の天井を構成する有孔スクリーン２を示している。有孔スクリーン２は、複数の有孔パネル４を並列状に接合して天井を構成している。図中、６は隣接する有孔パネル４の接合部である目地６を示している。各有孔パネル４は、建造物の野縁（下地材）にビスによって固定されている。
【０００９】
各有孔パネル４は、図３に示すように有孔金属板から成る本体８に、変形部１０と、変形部１０の一方側の縁部の全長にわたって形成された内向き取付縁部１２と、変形部１０の他方側の縁部の全長にわたって形成された外向き取付縁部１４とから構成されている。外向き取付縁部１４の幅は、内向き取付縁部１２の幅よりも大きく設定されている。本実施形態では、図３に示すように外向き縁部１４の幅は、内向き縁部１２の約３倍の幅に設定されている。外向き取付縁部１４には、隣接する有孔パネル４の内向き取付縁部１２と係合可能な受け部を構成するハゼ１６が屈折形成されている。
【００１０】
ハゼ１６とこれと係合する内向き取付縁部１２の幅は略同一に構成されている。本体８は、一方向に長い、全体の平面形状が矩形の平板状の有孔金属板を原材料とし、平板状の有孔金属板を断面Ｖ字状に加工して変形部１０を構成している。本体８の変形部１０は、本体８の左右両側の取付縁部１２，１４に対して段差Ｌが形成されるように、深く屈曲されデザイン性を高めている。
本実施形態では、取付縁部１２，１４は同一平面上に形成され、取付縁部１２，１４を含む基準面Ｆ１と、該基準面Ｆ１に対して平行な、変形部１０の底面１８を含む基準面Ｆ２との間隔（段差Ｌ）が約１４０ｃｍに構成されている。
【００１１】
本体に形成された孔の形状と個数及び配置は、独自性のあるデザインに基づいて定められている。また、各有孔パネル４に形成された多数の孔２０の中の一部は、ドリルビス操作作業用の空間部として、内向き取付縁部１２と対向する前記変形部１０の所定の部分Ｐに配置されている。変形部１０の所定の部分Ｐは図３中、○印で示している。一つの天井は、変形部１０の形状を同一とする同一種の多数の有孔パネル４により構成される。
【００１２】
有孔パネル４の変形部１０の形状は、デザインに基づいて種々の形状とすることができ、また孔２０の形状、配置及び個数もデザインに基づいて種々設定することができる。図５，７は、変形部１０の他の実施形態を示し、図５は断面形状が平板部と、これに対して垂直な側板部とから成る変形部１０を示し、図７は断面形状がわん曲線を構成する変形部１０を示している。図５，７において図３に対応する構成は同一の符号を付している。
【００１３】
次に、図１と図３及び図８を参照して、上記有孔パネル４の取付方法について説明する。
まず、建造物の下地材２２に有孔パネル４の外向き取付縁部１４をビス２４でねじ止めする。図１に示す下地材２２は野縁を構成し、野縁に対して直角方向に有孔パネル４を配置する。  野縁は、建造物のＣチャンネル鋼材（図示省略）にクリップを介して取り付けられ、Ｃチャンネル鋼材は、ハンガーと吊りボルトを介して建造物のコンクリートに固定されている。
【００１４】
ハゼ構造を利用して両隣りの２枚の有孔パネルのジョイント繋ぎを行う場合には、一方側の有孔パネル４の外向き取付縁部１４を下地材２２にビス２４止めした後（図８Ａ）、この固定側有孔パネル４に、他方側の有孔パネル４の内向き取付縁部１２を一方の固定側有孔パネル４のハゼ１６の受け部に挿入し（図８Ｂ）、他方側の有孔パネル４の外向き取付縁部１４を、下地材２２にビス止めする。この作業を順次行うことによって、所要数の有孔パネル４を順次ハゼ掛けし、天井を構築する。ハゼ構造をジョイント繋ぎに利用しない作業の場合でも、一方側の有孔パネル４のハゼ１６に他方側の有孔パネル４の内向き取付縁部１２を仮掛けし、ハゼ１６を利用することで、天井施工工事において、有孔パネル４の接合部の目地６幅の調整などの作業をスムーズに行うことができる。
【００１５】
また、他方側の有孔パネル４の内向き取付縁部１２を一方側の有孔パネル４のハゼ１６の受け部に突き当てることで、他方側の有孔パネル４の、一方側の有孔パネル４のハゼ１６の折り曲げ部分からの寸法計測を容易に行うことができ、また、有孔パネル取付時における落下を防止することができる。図８Ｃ，Ｄに示すように、ハゼ掛けをせずに両隣りの有孔パネル４，４の接合を行う場合には、有孔パネル４の、内向き取付縁部１２に対向する部分Ｐに形成された孔２０を利用して、電動ドライバーによって、隣り合った有孔パネル４，４の一方側のパネル４の外向き取付縁部１４とこれに重なる他方側のパネル４の内向き取付縁部１２とを下地材２２にドリルビス２４でビス止めし、両隣りの有孔パネル４，４を順次ビス２４で縫うようにして接合する。
【００１６】
図８に示すように、一方側の有孔パネル４の外向き取付縁部１４に対して、他方側の有孔パネル４の内向き取付縁部１２の当接位置を、図中、左右方向にずらすことで目地６の幅の調整を容易に行うことができる。
図５，７に示す変形部１０の形状が異なる有孔パネル４を用いて天井を形成する場合も、上記実施形態と同様に、一方側の有孔パネル４の外向き取付縁部１４に対して、他方側の有孔パネル４の内向き取付縁部１２の当接位置を、左右幅方向にずらすことで、目地６の幅の調整を容易に行うことができる。
【符号の説明】
【００１７】
２        有孔スクリーン
４        有孔パネル
６        目地
８        本体
１０      変形部
１２      内向き取付縁部
１４      外向き取付縁部
１６      ハゼ
１８      底面
２０      孔
２２      下地材
２４      ビス
【図１】
2019082014.tif 000003
【図２】
2019082014.tif 000004
【図３】
2019082014.tif 000005
【図４】
2019082014.tif 000006
【図５】
2019082014.tif 000007
【図６】
2019082014.tif 000008
【図７】
2019082014.tif 000009
【図８】
2019082014.tif 000010